(57)【要約】  【課題】生ゴミ等の投入時における容器内の小虫の飛び出しを確実に回避することができるコンポスト容器を提供する。  【解決手段】コンポスト容器の容器蓋（１１）の一部に二重蓋構造の投入用ボックス（２０）を設ける。投入用ボックスは、上下両面が開口したボックス本体（２１）と、上下両面の開口を開放または閉鎖するために、ボックス本体に取り付けられた上蓋（２３）及び下蓋（２５）を有する。そして、上蓋を開放してボックス本体に投入物を投入し、前記上蓋を閉じた後に下蓋が開放され、投入物が容器内へ落下後に下蓋を自動的に閉鎖する構造とする。【選択図】図１
0003179330.tif 000002
【実用新案登録請求の範囲】
【請求項１】
二重蓋構造の投入用ボックス（２０）を設けたコンポスト容器であって、
前記投入用ボックスは、
上下両面が開口したボックス本体（２１）と、
前記上下両面の開口を開放または閉鎖するために、前記ボックス本体に取り付けられた上蓋（２３）及び下蓋（２５）を有し、
前記上蓋を開放して前記ボックス本体に投入物を投入し、前記上蓋を閉じた後に前記下蓋が開放され、前記投入物が容器内へ落下後に前記下蓋を閉鎖する構造としたことを特徴とするコンポスト容器。
【請求項２】
前記ボックス本体と前記下蓋とを連結し、前記下蓋を閉鎖する方向に付勢する付勢連結部材（２６）を備え、
前記付勢連結部材の付勢力により、前記投入物が容器内へ落下後に前記下蓋を自動的に閉鎖するようにしたことを特徴とする請求項１に記載のコンポスト容器。
【請求項３】
前記上蓋及び前記下蓋の閉鎖状態をロック可能にする操作部材（２７）を前記ボックス本体に設け、
前記操作部材は、前記上蓋の閉鎖状態のロック解除時に前記下蓋の閉鎖状態をロックし、前記上蓋の閉鎖状態のロック時に前記下蓋の閉鎖状態のロック解除を行うように構成したことを特徴とする請求項１または２に記載のコンポスト容器。
【請求項４】
前記操作部材は、前記ボックス本体の側面の上下方向に延設された棒状の回動レバー（２７）であり、該回動レバーの上端部（２７ａ）と下端部（２７ｂ）とが逆方向に折曲されて、該回動レバーの上端部が前記上蓋の閉鎖状態をロックすべく前記上蓋の上面に係合し、該回動レバーの下端部が前記下蓋の閉鎖状態をロックすべく前記下蓋の下面に係合することを特徴とする請求項３に記載のコンポスト容器。
【請求項５】
前記下蓋は、複数に分割された弾性体（３１、３２）で構成され、前記下蓋に、その閉鎖状態をロック可能にする操作部材が設けられ、前記下蓋の閉鎖状態のロック解除時に前記投入物が容器内へ落下した後に前記下蓋を前記弾性体の復元力により自動的に閉鎖するようにしたことを特徴とする請求項１に記載のコンポスト容器。
【請求項６】
前記投入用ボックスは、容器の蓋（１１）の一部に設けたことを特徴とする請求項１から５のいずれか１項に記載のコンポスト容器。
【考案の詳細な説明】
【技術分野】
【０００１】
本考案は、生ゴミなどの投入物の堆肥化等に利用されるコンポスト容器に関する。
【背景技術】
【０００２】
この種のコンポスト容器では、既に生ゴミ等が投入されている場合、容器内においてハエなどの小虫が大量に発生しており、新たに生ゴミなどを投入するため蓋を開ける度に、容器の中から小虫が大量に飛び出してきて、衛生面等で問題があった。
【０００３】
この問題を解決するために、蓋に殺虫剤を塗布しておくなどの方法があるが、この方法では、定期的に殺虫剤を補充しなければならないので、コスト面や手間の面で難点がある。そこで、生ゴミの投入部分を二重蓋構造にする方法が考えられる（例えば特許文献１参照）。
【０００４】
特許文献１に記載された従来例では、生ゴミ投入口のホッパ部分が蓋とスライド板とにより二重蓋構造になっている。すなわち、ホッパの蓋を開けて生ゴミを投入口から投入し、スライド板で一旦受け止めたのち、ホッパの蓋を閉じ、スライド板を引き出して開けて、生ゴミを容器内に落下させる。その後、スライド板を再び閉じるようにし、容器内からの悪臭等の逆流がないようにしている。
【先行技術文献】
【特許文献】
【０００５】
【特許文献１】実用新案登録第３１３９６４５号公報
【考案の概要】
【考案が解決しようとする課題】
【０００６】
しかしながら、上記従来例では、生ゴミ投入時において、事前にスライド板が閉まっていることを確認する必要があり、急いで生ゴミ投入作業をする必要がある場合など、この確認を忘れて、スライド板が開いたままの状態でポッパの蓋を開けてしまう可能性が大いにある。
【０００７】
このような二重蓋構造を通常のコンポスト容器に適用した場合には、生ゴミ投入時において、上述したような、容器の中から小虫が大量に飛び出してきて衛生面等の問題が生ずる可能性があった。
【０００８】
本考案は、このような事情に鑑みてなされたもので、その目的は、生ゴミ等の投入時における容器内の小虫の飛び出しを確実に回避することができるコンポスト容器を提供することにある。
【課題を解決するための手段】
【０００９】
上記目的を達成するために、本考案のコンポスト容器では、二重蓋構造の投入用ボックス（２０）を設けたコンポスト容器であって、前記投入用ボックスは、上下両面が開口したボックス本体（２１）と、前記上下両面の開口を開放または閉鎖するために前記ボックス本体に取り付けられた上蓋（２３）及び下蓋（２５）を有し、前記上蓋を開放して前記ボックス本体に投入物を投入し、前記上蓋を閉じた後に前記下蓋が開放され、前記投入物が容器内へ落下後に前記下蓋を自動的に閉鎖する構造としたことを特徴とする。
【００１０】
この考案のコンポスト容器によれば、投入物が容器内へ落下した後に下蓋が自動的に閉鎖するので、容器内の小虫が投入用ボックス内に侵入する可能性が極めて小さくなる。さらに、投入物の投入時において上蓋を開放した際には常に下蓋が閉鎖状態にあり、及び投入物の排出時において下蓋を開放する際には常に上蓋が閉鎖状態にあるため、投入用ボックス内には小虫がほとんど皆無といえる。したがって、生ゴミ等の投入時において容器内の小虫の飛び出しを確実に回避することができる。
【００１１】
また、本考案のコンポスト容器では、上記考案において、前記ボックス本体と前記下蓋とを連結し、前記下蓋を閉鎖する方向に付勢する付勢連結部材（２６）を備え、前記付勢連結部材の付勢力により、前記投入物が容器内へ落下後に前記下蓋を自動的に閉鎖するようにしたことを特徴とする。
【００１２】
この考案のコンポスト容器によれば、付勢連結部材により常時、下蓋が閉鎖方向に付勢されているので、下蓋の開放時間が極めて短時間となり、容器内の小虫が投入用ボックス内に侵入する可能性が一層小さくなる。
【００１３】
また、本考案のコンポスト容器では、上記考案において、前記上蓋及び前記下蓋の閉鎖状態をロック可能にする操作部材（２７）を前記ボックス本体に設け、前記操作部材は、前記上蓋の閉鎖状態のロック解除時に前記下蓋の閉鎖状態をロックし、前記上蓋の閉鎖状態のロック時に前記下蓋の閉鎖状態のロック解除を行うように構成したことを特徴とする。
【００１４】
この考案のコンポスト容器によれば、上蓋を開放する際には、下蓋の閉鎖状態がロックされるので、投入物の自重などによっても下蓋が開放されることがない。したがって、上蓋の開放中に小虫が飛び出してくることは皆無となる。
【００１５】
また、本考案のコンポスト容器では、上記考案において、前記操作部材は、前記ボックス本体の側面の上下方向に延設された棒状の回動レバー（２７）であり、該回動レバーの上端部（２７ａ）と下端部（２７ｂ）とが逆方向に折曲されて、該回動レバーの上端部が前記上蓋の閉鎖状態をロックすべく前記上蓋の上面に係合し、該回動レバーの下端部が前記下蓋の閉鎖状態をロックすべく前記下蓋の下面に係合することを特徴とする。
この考案のコンポスト容器によれば、操作部材の構成が簡素化される。
【００１６】
また、本考案のコンポスト容器では、上記考案において、前記下蓋は、複数に分割された弾性体（３１、３２）で構成され、前記下蓋に、その閉鎖状態をロック可能にする操作部材が設けられ、前記下蓋の閉鎖状態のロック解除時に前記投入物が容器内へ落下した後に前記下蓋を前記弾性体の復元力により自動的に閉鎖するようにしたことを特徴とする。
【００１７】
この考案のコンポスト容器によれば、投入用ボックスの構成が簡素化される。
また、本考案のコンポスト容器では、上記考案において、前記投入用ボックスは、容器の蓋（１１）の一部に設けたことを特徴とする。
【００１８】
この考案のコンポスト容器によれば、コンポスト容器の蓋だけを改良すればよいので、既に使用中のコンポスト容器をそのまま使用することができる。
【考案の効果】
【００１９】
本考案のコンポスト容器によれば、生ゴミ等の投入物の投入時において、容器内の小虫が外部に飛び出してくるのを確実に回避することができ、衛生面で寄与することが可能である。また、投入用ボックスを容器の蓋の一部に設けることにより、コンポスト容器の蓋だけを改良すればよくなり、既に使用中のコンポスト容器をそのまま使用することができる。
【図面の簡単な説明】
【００２０】
【図１】実施例１に係るコンポスト容器の全体を示す透視斜視図である。
【図２】投入用ボックス２０の上面図である。
【図３】図２のＡ−Ａ’断面図である。
【図４】図２のＢ−Ｂ’断面図である。
【図５】図２のＢ−Ｂ’断面図である。
【図６】実施例２に係る投入用ボックス２０の下面図である。
【図７】実施例２に係る投入用ボックス２０の断面図である。
【図８】実施例２に係る投入用ボックス２０の断面図である。
【図９】変形例に係る投入用ボックス２０の下面図である。
【考案を実施するための形態】
【００２１】
以下、本考案の一実施形態におけるコンポスト容器について、図面を参照しながら説明する。
【実施例１】
【００２２】
図１は、本考案の実施例１に係るコンポスト容器の全体を示す透視斜視図である。
このコンポスト容器は、図１に示すように、有底円筒形の容器本体１０の上部が開口し、その開口に、取っ手付き上面視円形状の容器蓋１１が着脱自在に覆設される。容器蓋１１には、四角形状の穴部が設けられ、その穴部に、本実施例の特徴を成す投入用ボックス２０が取り付けられている。具体的には、容器蓋１１の穴部に、投入用ボックス２０のボックス本体２１（前記穴部と同形で略同サイズ）が挿入されて、投入用ボックス２０の上部枠体２２の下面が、容器蓋１１の穴部の周縁上面部に係合し、その係合部分が接着剤等で固着されている。
投入用ボックス２０は、ボックス本体２１内に投入物を投入するときに開ける上蓋２３と投入物を排出するときに開ける下蓋２５を備えている。
【００２３】
図２は、投入用ボックス２０の上面図であり、図３は、図２のＡ−Ａ’断面図であり、図４及び図５は、図２のＢ−Ｂ’断面図である。
ボックス本体２１は、例えばプラスチック材からなる前板２１ａ、後板２１ｂ、及び左右一対の側板２１ｃ，２１ｄで構成された、上下両面が開口した直方体（前後サイズ：約２５０〜３５０ｍｍ、左右サイズ：約２５０ｍｍ、高さサイズ：約２００ｍｍ）を成している。そして、このボックス本体２１の上端部は、ボックス本体２１の横方向外側へ平行突出した四角形状の枠体２２ａ〜２２ｄと一体的に形成されている。ここで、前板２１ａの上端部に一体形成された枠体２２ａと、側板２１ｃ，２１ｄの上端部に一体形成された枠体２２ｃ、２２ｄは、その先端部が上蓋２３の厚み分だけ上方へ直角に折曲されている。
【００２４】
ボックス本体２１の上部開口を開放または閉鎖するための上蓋２３は、後板２１ｂの上端部に自由丁番２４を介して回動自在に連結され、枠体２２ａ、２２ｃ、２２ｄの見付面に対接摺動する。また、ボックス本体２１の下部開口を開放または閉鎖するための下蓋２５は、後板２１ｂの下端部にスプリング丁番２６を介して回動自在に連結され、前板２１ａ及び側板２１ｃ，２１ｄの下端部の見付面に対接摺動する。ここで、付勢連結部材であるスプリング丁番２６は、下蓋２５を閉鎖する方向に常時付勢している。
【００２５】
前板２１ａの上端部の枠体２２ａには貫通孔２２ｅが穿設され、その貫通孔２２ｅに、前板２１ａの上下方向に延設された棒状の回動レバー２７が挿通してある。この回動レバー２７は、その上端部２７ａと下端部２７ｂとが逆方向に直角に折曲されて上端部２７ａには把持部２８が形成されており、軸方向に例えば３６０°回転可能である。そして、図３に示すように、把持部２８を回動して回動レバー２７の上端部２７ａが枠体２２ａの先端に係合するように操作することにより、下端部２７ｂが下蓋２５の下面に係合して下蓋２５の閉鎖状態をロックすることができる。また、図５に示すように、回動レバー２７の把持部２８を回動して回動レバー２７の上端部２７ａが上蓋２３の上面に係合するように操作することにより、上蓋２３の閉鎖状態をロックすると同時に、下蓋２５のロックを解除することができる。
【００２６】
次に、本実施例の動作について説明する。
まず、操作者は、把持部２８を回動して回動レバー２７の上端部２７ａが枠体２２ａの先端に係合するように操作した後、上蓋２３の取っ手２３ａを持ち、上蓋２３を開放する（図３参照）。そして、生ゴミ等の投入物を投入用ボックス２０内へ投入する（図３矢印Ｗ１参照）。このとき、下蓋２５は閉鎖状態にロックされている。そのため、投入物の自重などによっても下蓋２５が開放されることがなく、したがって、上蓋２３の開放中に小虫が飛び出してくることはほとんど皆無である。
【００２７】
投入物の投入が完了すると、操作者は、上蓋２３を閉鎖し、把持部２８を１８０°程度回動して回動レバー２７の上端部２７ａが上蓋２３の上面に係合するように操作する（図５参照）。これによって、上蓋２３は閉鎖状態にロックされる同時に、下蓋２５はロックが解除される。下蓋２５のロックが解除されると、投入用ボックス２０内に投入された投入物の自重により下蓋２５が開放され、投入物がコンポスト容器の容器本体１０内へと落下する（図５の矢印Ｗ２）。ここで、下蓋２５が開放されるときに、スプリング丁番２６は付勢力を蓄積する。
【００２８】
投入物がコンポスト容器の容器本体１０内へ落下すると、スプリング丁番２６の付勢力により、下蓋２５は自動的に閉鎖状態となる。このように、投入物が容器本体１０内へ落下した後に直ちに下蓋２５が自動的に閉鎖するので、下蓋２５の開放時間が極めて短時間となり、容器本体１０内の小虫が投入用ボックス２０内に侵入する可能性が極めて小さくなる。したがって、その後の生ゴミ等の投入時においては、投入用ボックス２０内に小虫がほとんど皆無となり、容器内の小虫の飛び出しを確実に回避することができるのである。
【実施例２】
【００２９】
本実施例では、下蓋を、２つに均等分割された弾性体で構成し、この弾性体の復元力により、投入物が容器内へ落下した後に下蓋を自動的に閉鎖するようにしたものである。
図６は、本実施例に係る投入用ボックス２０の下面図であり、図７及び図８は、本実施例に係る投入用ボックス２０の断面図である。
【００３０】
本実施例の投入用ボックス２０は、図６に示すように、その下側開口を、板ゴム等の弾性体から成る２枚の半割下蓋３１，３２で覆って成る。２枚の半割下蓋３１，３２は、図７及び図８に示すように、観音扉状に開閉し、閉鎖状態では投入用ボックス２０の下側開口を覆い、開放状態では下方へ傾斜する。半割下蓋３１，３２は、その各一端縁が投入用ボックス２０の前板２１ａと後板２１ｂの下縁にそれぞれ段取り固着されている。
半割下蓋３１，３２には、その閉鎖状態をロック可能にする操作部材（図示せず）が設けられ、半割下蓋３１，３２の閉鎖状態のロック解除時に投入物が容器内へ落下した後に半割下蓋３１，３２を弾性体の復元力により自動的に閉鎖する構成である。
【００３１】
次に、本実施例の動作について説明する。
まず、操作者は、上蓋２３の取っ手２３ａを持ち、上蓋２３を開放する（図７参照）。このとき、半割下蓋３１，３２は閉鎖状態になっているため、コンポスト容器内から小虫が飛び出してくることはほとんどない。
【００３２】
続いて、生ゴミ等の投入物を投入用ボックス２０内へ投入する（図７矢印Ｗ３参照）。その後、操作部材（図示せず）を手動操作して半割下蓋３１，３２の閉鎖状態をロック解除すると、半割下蓋３１，３２が観音扉状に開放し（図８参照）、投入物の自重（図８の矢印Ｗ４参照）によって、投入物がコンポスト容器の容器本体１０内へと落下する。
【００３３】
投入物がコンポスト容器の容器本体１０内へ落下すると、半割下蓋３１，３２の弾性復元力により、半割下蓋３１，３２は自動的に閉鎖状態となる。このように、投入物が容器本体１０内へ落下後に直ちに半割下蓋３１，３２が自動的に閉鎖するので、半割下蓋３１，３２の開放時間が極めて短時間となり、容器本体１０内の小虫が投入用ボックス２０内に侵入する可能性が極めて小さくなる。したがって、その後の生ゴミ等の投入時においては、投入用ボックス２０内に小虫がほとんど皆無となり、容器内の小虫の飛び出しを確実に回避することができる。
【００３４】
なお、下蓋を、４つに対角分割された弾性体で構成し、この弾性体の復元力により、投入物が容器内へ落下後に下蓋を自動的に閉鎖するようにしてもよい。この場合、図９の下面図に示すように、対角割下蓋４１、４２は、その各一端縁が投入用ボックス２０の前板２１ａと後板２１ｂの下縁にそれぞれ段取り固着し、また対角割下蓋４３、４４は、その各一端縁が投入用ボックス２０の側板２１ｃと後板２１ｄの下縁にそれぞれ段取り固着する。このように構成しても、上述した半割下蓋と同等の作用効果を奏する。
【００３５】
また、上述の各実施例では、コンポスト容器の容器蓋１１の一部に投入用ボックス２０を取り付けた。これにより、コンポスト容器の容器蓋だけを改良すればよくなり、既に使用中のコンポスト容器をそのまま使用することができる、という効果を奏する。なお、容器蓋を設けないコンポスト容器において、その上部壁に投入用ボックス２０を取り付けるように構成することも可能である。
【符号の説明】
【００３６】
１１  容器の蓋
２０  投入用ボックス
２１  ボックス本体
２３  上蓋
２５  下蓋
２６  スプリング丁番
２７  回動レバー
３１、３２  半割下蓋
【図１】
0003179330.tif 000003
【図２】
0003179330.tif 000004
【図３】
0003179330.tif 000005
【図４】
0003179330.tif 000006
【図５】
0003179330.tif 000007
【図６】
0003179330.tif 000008
【図７】
0003179330.tif 000009
【図８】
0003179330.tif 000010
【図９】
0003179330.tif 000011